(57)【特許請求の範囲】
【請求項１】
複数の個所に給湯栓を介して給湯できる給湯管を有する給湯システムに用いる計量手段付瞬間湯沸器において、
計量手段付瞬間湯沸器内の給湯管に設けられる開閉弁と、
流水量が予め定められる量に達したことを計量手段によって検知したとき、開閉弁を閉じ、開閉弁が閉じられてから一定時間内に給湯栓が全て閉じられたことを検知して、前記閉じられた開閉弁を開く制御手段とを有することを特徴とする計量手段付瞬間湯沸器。
【請求項２】
給湯栓が全て閉じられたことを検知する手段が、開閉弁と給湯栓との間に接続された空気管に設けられた圧力検知器であり、
空気管には計量手段付瞬間湯沸器の燃焼用空気の一部が空気開閉弁を介して接続され、空気開閉弁は、開閉弁が閉じたとき、制御手段によって開くように制御されることを特徴とする請求項１記載の計量手段付瞬間湯沸器。
【請求項３】
前記開閉弁が閉じられたとき、警報を発することを特徴とする請求項１または２記載の計量手段付瞬間湯沸器。
【発明の詳細な説明】
【０００１】
【発明の属する技術分野】
本発明は、計量手段付瞬間湯沸器に関し、特に本湯沸器を用いて浴槽に給湯するとき、浴槽に一定量の給湯がされたとき、自動的に給湯を停止することができる計量手段付瞬間湯沸器に関する。
【０００２】
【従来の技術】
浴槽に瞬間湯沸器を通して温水を給湯管から給湯する場合、瞬間湯沸器に設けた計量手段によって予め定めた量の給湯がされたとき、ブザーなどの警報が発し、人が給湯栓を止める。浴槽専用の給湯管が設けられていれば、給湯管に開閉弁を設けて、一定量の給湯が行われたときこの開閉弁を自動的に閉じればよいが、給湯管が浴槽以外にも給湯するものであると、この開閉弁を閉じると、以後の給湯ができず、また浴槽の給湯栓を閉じずに開閉弁を開くと、浴槽に必要以上の給湯が行われるという問題がある。また浴槽専用の給湯管を建築後設けることは、大規模な工事を伴い困難である。したがって複数の給湯栓のある給湯管には開閉弁は設けられていない。
【０００３】
【発明が解決しようとする課題】
本発明の目的は、前記問題点を解決した計量手段付瞬間湯沸器を提供することである。
【０００４】
【課題を解決するための手段】
本発明は、複数の個所に給湯栓を介して給湯できる給湯管を有する給湯システムに用いる計量手段付瞬間湯沸器において、
計量手段付瞬間湯沸器内の給湯管に設けられる開閉弁と、
流水量が予め定められる量に達したことを計量手段によって検知したとき、開閉弁を閉じ、開閉弁が閉じられてから一定時間内に給湯栓が全て閉じられたことを検知して、前記閉じられた開閉弁を開く制御手段とを有することを特徴とする計量手段付瞬間湯沸器である。
本発明に従えば、給湯管には開閉弁が設けられ、この開閉弁は予め定める量の給湯が行われれば自動的に閉じ、一定時間内に全ての給湯栓が閉じられれば、自動的に再び開く。これによってその後の給湯が支障なく行われる。
【０００５】
また本発明は、給湯栓が全て閉じられたことを検知する手段が、開閉弁と給湯栓との間に接続された空気管に設けられた圧力検知器であり、
空気管には計量手段付瞬間湯沸器の燃焼用空気の一部が空気開閉弁を介して接続され、空気開閉弁は、開閉弁が閉じたとき、制御手段によって開くように制御されることを特徴とする。
本発明に従えば、給湯栓が全て閉じたことが、計量手段付瞬間湯沸器の燃焼用空気の圧力を検出して行われる。燃焼用空気は、送風機などによって供給される。開閉弁が閉じることによって計量手段付瞬間湯沸器が停止した後、計量手段付瞬間湯沸器を冷却するため、約５分間送風機が運転され、この間空気が送り続けられる。この間の燃焼用空気（実際は冷却用空気）の一部が用いられるので、特別な機器を必要とせず空気開閉弁を有する空気管を単に給湯管に接続するという簡単な構成で、給湯栓が全て閉じたことが検出される。
【０００６】
また本発明は、前記開閉弁が閉じられたとき、警報を発することを特徴とする。
本発明に従えば、開閉弁が閉じているときブザーなどの警報が発せられるので、たとえば浴槽に規定量の給湯されたことが知らされ、浴槽用給湯栓を一定時間内に閉じればよい。警報が発せられても、従来技術のように直ちに浴槽用給湯栓を閉じる必要はない。
【０００７】
【発明の実施の形態】
以下、図面によって本発明をより具体的に説明する。
【０００８】
図１は、本発明の一実施の形態の計量手段付瞬間湯沸器（以下「湯沸器」と略すことがある）１０を用いた給湯システムの系統図である。湯沸器１０には、給水管１から水道水が供給され、流量検知器１１によって水流が検知されると、制御器２０によって先ず送風機１４が稼動し、湯沸器１０内をたとえば５秒間パージする。都市ガスなどの燃料ガスは、ガス管２から供給され、湯沸器１０内のパージが終われば、ガスバルブ１２が開き、バーナ１３が図示しない点火装置によって点火され、送風機１４からの空気で燃焼する。燃焼ガスの熱は主として熱交換器１４で水に与えられ、燃焼ガスは排気口１５から外部に排出される。熱交換器１４で加熱された温水は、開閉弁１５を通って給湯管５から複数の給湯栓６，７，８を介して必要な個所、たとえば台所、洗面場、浴槽９に給湯される。流量検知器１１によって水流が検知されなくなると、ガスバルブ１２が閉じるが、送風機１４は熱交換器１４が冷却されるまで、たとえば５分間運転を続ける。また流量検知器１１は、流量センサから成り、水流を検出するとともに流水量を検出する計量手段を有している。また浴槽９に給湯するときは、制御器２０に流水量を予め入力しておけば、流水量がその量に達すれば開閉弁１５が閉じ、浴槽９への給湯を止めるとともに制御器２０に付属するブザー２３から警報が発せられる。また開閉弁１５が閉じると、空気管１７に設けられた空気開閉弁１６が開き、送風機１４からの空気の一部が空気開閉弁１６と逆止弁１８を通って給湯管５に流れる。逆止弁１８は、温水が送風機１４側へ流れるのを防ぐため設けられる。給湯栓６，７，８の全てが閉じられておれば、空気管１７内の空気は、加圧された状態となる。この空気圧が圧力検知器１９で検知され、これによって再び開閉弁１５が開く。給湯管５には、温度検知器２２が設けられ、湯沸器１０の定常運転時には温水温度が予め定める温度になるように、ガスバルブ１２の開度が調節される。
【０００９】
図２は、制御器２０と各機器との接続関係を示す結線図である。制御器２０には、流量検知器１１から水流と流水量との情報が、また圧力検知器１９から圧力の情報が、温度検知器２２から温度情報が、それぞれ入力され、タイマ２１を内蔵し、これらに基づいて送風機１４の運転、停止と、ガスバルブ１５の開閉と開度調整と、開閉弁１５および空気開閉弁１６の開閉と、ブザー２３の吹鳴とを行う。
【００１０】
図３は、制御器２０の作動状況を示すフローチャートである。ステップＳ０でスタートし、ステップＳ１で開閉弁１５が開いていることが確認される。開閉弁１５が閉じていればステップＳ２でブザー２３を吹鳴して、開閉弁１５が開けられるように指示する。開閉弁１５が開いておれば、ステップＳ３に進み、湯沸器１０を通過する水の流量が入力されたか否かが判断される。たとえば浴槽９に温水を給湯するときは、好ましい流量が制御器２０の入力手段から入力される。流量が入力されていれば、ステップＳ４に進み、流水検知器１１が流水を検知したか否かが判断される。浴槽９用給湯栓８が開けられれば、流水検知器１１が流水を検知し、ステップＳ５に進む。ステップＳ５では、送風機１４が運転され、湯沸器１０内がパージされ、パージが終われば、ガスバルブ１２が開き、バーナ１３で燃焼する。温水の温度は、温度検出器２２によって検出され、予め定められた温度になるようにガスバルブ１２の開度が調整される。これら一連の操作をステップＳ５で湯沸器１０の運転と表示している。ステップＳ６では、流水量が規定量になったか否かが判断され、流水量に達すればステップＳ７に進み、開閉弁１２を閉じ、ステップＳ８でガスバルブを閉じ、ステップＳ９で空気開閉弁１６を開き、ステップＳ１０でブザー２３を吹鳴する。これによって浴槽９への給湯は終了し、そのことが知らされ、ステップＳ１１に進む。浴槽用給湯栓８が閉じられれば、空気管１７に蓄圧され、圧力検知器１９が圧力を検知し、ステップＳ１２に進み、開閉弁１５を開けて操作を完了する。浴槽用給湯栓８が閉じられなければ、ブザー２３は吹鳴を続ける。
【００１１】
ステップＳ３で流量が入力されない状態では、ステップＳ１４〜Ｓ１６で示すように、湯沸器１０は流水検知器１１が流水を検知したとき運転され、流水が検知されなくなれば停止される。
【００１２】
別の実施例として、送風機１４が開閉弁１５が開くまで、すなわち浴槽用給湯栓８が閉じられるまで停止しない構成であってもよい。
【００１３】
【発明の効果】
本発明によれば、予め定める水量が湯沸器を通過すれば、給湯管に設けられた開閉弁を閉じ、同時にブザーなどによってそのことが知らされる。これによって、たとえば浴槽用給湯栓などの使用中の給湯栓を閉じれば、前記開閉弁は自動的に開き、以後の給湯に支障がない。
【００１４】
また本発明によれば、使用中の給湯栓が閉じられたことを、燃焼用送風機の空気の一部を用いて検知できるので、従来の湯沸器に極く僅かの改造を行うだけでよい。
【図面の簡単な説明】
【図１】本発明の一実施の形態の計量手段付瞬間湯沸器１０を用いた給湯システムの系統図である。
【図２】制御器２０と各機器との接続関係を示す結線図である。
【図３】制御器２０の作動状態を示すフローチャートである。
【符号の説明】
１  給水管
２  ガス管
５  給湯管
８  浴槽用給湯栓
９  浴槽
１０  計量手段付瞬間湯沸器
１１  流量検知器
１２  ガスバルブ
１５  開閉弁
１６  空気開閉弁
１７  空気管
１９  圧力検知器
２０  制御器
２３  ブザー
【図１】
0003740199.tif 000002
【図２】
0003740199.tif 000003
【図３】
0003740199.tif 000004